(57)【要約】【課題】従来の技術は、複製記録の前に無記録領域の検出処理を行うため、たとえ高速再生とはいえトータルの複製記録にかかる処理時間が長くなる、という課題がある。また、複製記録元がアナログテープの場合、記録媒体上の位置を厳密に特定することが困難であるため、高速再生時に検出された無記録領域の位置と、複製記録用の再生時に特定した無記録領域とにずれが生じてしまう可能性もある、と言う課題もある。【解決手段】以上の課題を解決するために、本発明は、複製記録のための複製元の映像データの再生中に、制御信号からその無記録領域を検出し、複製先の複製記録の一時中断、再開などの制御を行う複製装置を提供する。【選択図】図２
2008108295.tif 000002
【特許請求の範囲】
【請求項１】
複製命令に基づいて映像信号の記録有無に関らず第一記録媒体を連続再生する再生部と、
再生部からの出力を複製記録する第二記録媒体を利用した記録部と、
前記連続再生によって出力される信号に制御信号が含まれるか判断する判断部と、
判断部での判断結果が、制御信号が含まれないとの判断結果である場合には前記複製記録を実行せず、制御信号が含まれるとの判断結果である場合には前記複製記録を実行する記録制御部と、
を有する複製装置。
【請求項２】
前記判断部は、制御信号としてコントロール信号の有無を判断するコントロール信号有無判断手段を有する請求項１に記載の複製装置。
【請求項３】
判断結果が、制御信号が含まれないとの判断結果である場合に前記記録部を省エネルギーモードとするための省エネルギーモード制御部をさらに有する請求項１又は２に記載の複製装置。
【請求項４】
複製命令に基づいて映像信号の記録有無に関らず第一記録媒体を連続再生する再生ステップと、
再生ステップでの出力データを、第二記録媒体を利用して複製記録する記録ステップと、
前記連続再生によって出力される信号に制御信号が含まれるか判断する判断ステップと、
判断ステップでの判断結果が、制御信号が含まれないとの判断結果である場合には前記複製記録を実行せず、制御信号が含まれるとの判断結果である場合には前記複製記録を実行する記録制御ステップと、
を計算機に実行させる複製方法。
【請求項５】
前記判断ステップは、制御信号としてコントロール信号の有無を判断するコントロール信号有無判断ステップである請求項４に記載の複製方法。
【請求項６】
判断結果が、制御信号が含まれないとの判断結果である場合に省エネルギーモードとするための省エネルギーモード制御ステップをさらに有する請求項４又は５に記載の複製方法。
【発明の詳細な説明】
【技術分野】
【０００１】
本発明は、映像データを効率的に複製記録するための技術に関する。
【背景技術】
【０００２】
従来、バックアップ等を目的として、記録した映像データの複製記録が一般的に行われている。とりわけ、記録した映像データが経年劣化しないデジタル記録媒体を用いた映像記録装置の普及により、それ以前にアナログビデオテープなどに記録した映像データをデジタル記録媒体に複製する行為も一般化している。
【０００３】
ところで、アナログテープはシーケンシャル記録メディアであるので、例えば複数番組を記録した場合など、記録媒体上の映像データと映像データとの間に信号の無記録領域が存在することもある。そこで、特許文献１には、複製記録の前に予めアナログテープを高速再生させてテープ上の無記録領域の位置を検出し、複製記録時には無記録領域の複製は行わないよう制御する映像音声記録再生装置が開示されている。
【特許文献１】実用新案登録３０９２１４１号公報
【発明の開示】
【発明が解決しようとする課題】
【０００４】
しかし上記従来の技術は、複製記録処理の前に無記録領域の検出処理を行うため、たとえ高速再生とはいえトータルの複製記録処理にかかる処理時間が長くなる、という課題がある。また、複製元（ソース）がアナログテープの場合、記録媒体上の位置を厳密に特定することが困難であるため、高速再生時に検出された無記録領域の位置と、複製記録用の再生時に特定した無記録領域とにずれが生じてしまう可能性もある、と言う課題もある。
【課題を解決するための手段】
【０００５】
以上の課題を解決するために、本発明は、複製記録のための複製元の映像信号が記録された第一記録媒体の連続再生中に、制御信号からその無記録領域を検出し、複製先の複製記録の一時中断、再開などの制御を行う複製装置を提供する。
【０００６】
具体的には、複製命令に基づいて映像信号の記録有無に関らず第一記録媒体を連続再生する再生部と、再生部からの出力を複製記録する第二記録媒体を利用した記録部と、前記連続再生によって出力される信号に制御信号が含まれるか判断する判断部と、判断部での判断結果が、制御信号が含まれないとの判断結果である場合には前記複製記録を実行せず、制御信号が含まれるとの判断結果である場合には前記複製記録を実行する記録制御部と、を有する複製装置である。
【発明の効果】
【０００７】
以上のような構成をとる本発明によって、無記録領域の検出を複製記録のための再生時に実行することができる。したがって複製記録にかかる処理時間が長くなることがない、と言う効果を奏する。また、無記録領域の検出と連動して、複製記録の一時中断や再開を制御するため、検出した無記録領域の位置と、複製記録時の記録一時停止位置とにずれをあまり生じさせることがない、と言う効果も奏する。また、複製先の第二記録媒体の記録資源を有効に利用することもできる。
【発明を実施するための最良の形態】
【０００８】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、４について説明する。また、実施例２は、主に請求項２、５について説明する。また、実施例３は、主に請求項３、６について説明する。
【０００９】
≪実施例１≫
<概要>
図１は、本実施例の複製装置による複製記録の一例を説明するための概念図である。この図にあるように、複製元（ソース）の映像記録領域α、β、δには、それぞれ図に示すような映像データＡ，Ｂ，Ｄが記録さている。しかし、同じ複製元の映像記録領域γは、映像信号は記録されておらず無記録の状態でノイズ信号Ｃなどが記録されているのみである。そこで、本実施例の複製装置では、ソースの記録媒体を図中破線方向に再生させながら、読み取った信号が映像信号であればその映像信号Ａ，Ｂ，Ｄを複製先の記録媒体に複製記録していく。一方、無記録領域γを検出すると、読み取ったノイズ信号Ｃなどの映像信号以外の信号については複製記録を実行しない、といった処理を行う。
【００１０】
このようにして、高速再生などして予め無記録領域を検出する、といった時間的な無駄を省くことができる。また無記録領域の検出と連動して複製記録の一時停止などを行うことができるので、検出した無記録領域の位置と、複製記録時の記録一時停止位置とにずれをあまり生じさせることがない。また、複製先の記録媒体の記録資源を有効に利用することもできる。
【００１１】
<機能的構成>
図２は、本実施例の複製装置における機能ブロックの一例を表す図である。この図にあるように、本実施例の「複製装置」（０２００）は、「再生部」（０２０１）と、「記録部」（０２０２）と、「判断部」（０２０３）と、「記録制御部」（０２０４）と、を有する。
【００１２】
なお、以下に記載する本装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどが挙げられる。
【００１３】
またこれらハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１４】
「再生部」（０２０１）は、複製命令に基づいて映像信号の記録有無に関らず第一記録媒体を連続再生する機能を備える。「複製命令」とは、第一記録媒体に記録された映像信号を、第二記録媒体に複製記録するための命令であって、例えば、ユーザーがリモコンや操作パネルなどの「ダビングボタン」を押下することにより生成、取得される命令信号などが挙げられる。その他、タイムスケジューラなどのソフトウェアの処理によって所定時間に自動的に生成、取得される命令信号や、あるいはネットワークなどを介して遠隔地端末から送信された命令信号なども挙げられる。
【００１５】
そして、このようにして取得した複製命令に応じて、本実施例の複製装置は、まず、映像信号の記録有無に関らず第一記録媒体を連続再生する。「映像信号」とは、記録媒体上にて記録された映像を示す信号をいい、例えばコンポジット映像信号やＳ映像信号、コンポーネント映像信号などの映像の輝度、色差情報、あるいはＲＧＢ色情報、などが挙げられる。また、それら映像に同期された音声信号も含む。また「連続再生」とは、第一記録媒体に記録されている映像信号を、その再生時間軸に沿って順方向に再生し続けることをいい、例えば、ビデオカセットに記録された映像の通常再生などが挙げられる。
また再生部では、後述する判断部にてコントロール信号が無く無記録領域と判断された場合に早送り再生を行い、再度コントロール信号を検出し記録領域と判断されると、通常再生に戻すよう構成しても良い。それによって、さらに複製処理にかかる時間を短縮することもできる。
【００１６】
なお、この再生部は、例えばローディングスライダーや回転リール、各種信号の読取用磁気ヘッドなどで構成された一般的なビデオ再生装置などにて実現することができる。もちろん、第一記録媒体がビデオカセット以外の媒体であれば、その媒体に対応した再生装置で実現することができる。
【００１７】
「記録部」（０２０２）は、再生部からの出力を、第二記録媒体を利用して複製記録する機能を有する。なお、この記録部は、出力された映像信号をビデオテープなどのアナログ記録媒体に複製記録する記録部であっても良いし、Ａ／Ｄ変換回路などで再生部から出力された映像信号を符号化し、ＨＤＤやＤＶＤなどのデジタル記録媒体に複製記録する記録部であっても良い。
【００１８】
このように、本実施例の複製装置では再生部にて連続再生され出力された映像信号を、記録部にて第二記録媒体に複製記録する。したがって、再生と複製記録とを連動させ略同時に実行することができる。そして本実施例では、以下の「判断部」、「記録制御部」の処理によってその再生と複製記録との連動を制御し、無記録領域の複製記録を行わないよう制御する。
【００１９】
「判断部」（０２０３）は、前記連続再生によって出力される信号に制御信号が含まれるか判断する機能を有する。「制御信号」とは、第一記録媒体上に記録された映像信号を制御するための情報をいい、例えばスクイーズやレターボックス、ワイド信号など映像のアスペクト比を変更制御するための信号、インターレースやノンインターレースなど走査方式を識別制御するための信号、あるいは走査線の本数を識別制御するための信号等が挙げられる。その他にも実施例２にて後述するような、例えば垂直／水平同期信号や色同期信号、あるいは映像と音声の同期信号などのコントロール（同期）信号も挙げられる。
なお、この判断部での判断方法の一例としては、第一記録媒体上の制御信号記録領域（制御信号が記録されるべき領域）から読み出した信号が、各種制御信号を識別するため予め定められている周波数の信号であるか、を論理演算処理することで行う方法が挙げられる。
そして、ノイズ信号を含め様々な周波数帯の信号が混在する映像信号と比較して、周波数が予め定められて識別が容易な制御信号の有無を判断することによって、記録媒体上の再生中の領域が映像信号の記録領域か無記録領域か、を判断する、という具合である。
【００２０】
図３は、第一記録媒体の１つであるビデオカセットのテープ上での、映像信号及び制御信号の記録態様の一例を示す概略図である。この図にあるように、ビデオカセットのテープ上の領域Ｂに映像信号が記録されている。そして、矢印で示す信号の「読出し／書込み方向」に向かい、その映像記録領域Ｂと平行するテープ上領域Ａに、それら映像信号に関するアスペクト比や走査方式、走査線本数、あるいは各種同期など様々な制御を行うための制御信号が記録される。
【００２１】
記録時には、このテープ上への映像信号の記録とともに制御信号も記録されるので、例えば映像信号が領域Ｂ１に記録されると、それと同時に平行する領域Ａ１に制御信号が記録されていく。そして、図中斜め破線で示すように、映像信号の取得が途絶えるなどして映像信号が記録されないままテープが進むと、当然それに対応する領域には制御信号は記録されない。そして、領域Ｂ２に映像信号の記録が再開されると、平行する領域Ａ２に制御信号が記録される、という具合である。
【００２２】
このように、第一記録媒体では、映像信号とともに例えばアスペクト比制御信号などの制御信号が記録されているので、再生部での連続再生処理中にこの判断部にて制御信号の有無を検出することによって、現在再生中の領域に映像信号が記録されているか否かを判断することができる。
【００２３】
「記録制御部」（０２０４）は、判断部での判断結果が、制御信号が含まれないとの判断結果である場合には前記複製記録を実行せず、制御信号が含まれるとの判断結果である場合には前記複製記録を実行する機能を有する。
【００２４】
図４は、この記録制御部での複製記録制御の一例を表す概念図である。この図にあるように、第一記録媒体の一つであるビデオカセットの映像記録領域から磁気ヘッドＢにて信号Ｂが読み出される。また、それに平行する制御信号の記録領域から磁気ヘッドＡにて信号Ａが読み出される。そして、信号Ａに正しい垂直／水平同期信号が含まれている場合、映像信号から正しいフレームデータ（動画を構成するコマ画像）を生成することができる。また、信号Ａに正しい垂直／水平同期信号が含まれていない場合には、砂嵐などのフレームデータが生成される。
【００２５】
そして信号Ｂから生成されたフレームデータが「Ａ／Ｄコンバータ」によってデジタル変換され、「バッファ」に格納される。一方、信号Ａは制御チップに出力され、制御チップにてその周波数情報などから正しい制御信号であるか否かの判断処理が実行される。その結果、信号Ａは正しい制御信号であると判断されれば、「制御チップ」から「バッファ」に複製コマンド信号が出力され、「バッファ」に格納されているフレームデータが、順次「エンコーダ」にて圧縮符号化され「ＤＶＤ」などの第二記録媒体に記録される。
【００２６】
一方、「制御チップ」の判断処理によって信号Ａが制御信号以外の信号である、と判断された場合、その制御信号とともに読み出された信号Ｂも映像信号以外の例えばノイズ信号などであると判断できる。そこで「制御チップ」から信号Ｂの破棄コマンド信号などを「バッファ」に対して出力し、現在「バッファ」に格納されている映像信号由来ではないフレームデータを破棄する、といった制御を行う。あるいは「書込ドライブ」などに複製記録の一時中止命令を出力し、その複製記録を一時中止する。
【００２７】
このようにして連続再生によって第一記録媒体に記録された映像信号を「ＤＶＤ」などの第二記録媒体に記録しつつ、無記録領域に関しては「ＤＶＤ」などの第二記録媒体に記録しないよう制御することができる。
また、この記録制御部では、前述の判断部にて所定時間以上無記録領域が連続すると判断された場合、記録媒体の最後まで映像信号が記録されていないとして複製記録処理を終了するよう構成しても良い。
【００２８】
<ハードウェア的構成>
図５は、上記機能的な各構成要件をハードウェアとして実現した際の、複製装置における構成の一例を表す概略図である。この図を利用して第二記録媒体への映像信号の複製記録制御処理におけるそれぞれのハードウェア構成部の働きについて説明する。この図にあるように、複製装置は、各種演算処理を行い、判断部および記録制御部を実現する「ＣＰＵ（中央演算装置）」（０５０１）と、「主メモリ」（０５０２）と、を備えている。また複製装置は再生部である「再生ユニット」（０５０３）と「Ａ／Ｄコンバータ」（０５０４）や、記録部である「バッファ」（０５０５）と「エンコーダ」（０５０６）と「書込回路」（０５０７）も備えている。そしてそれらが「システムバス」などのデータ通信経路によって相互に接続され、情報の送受信や処理を行う。
【００２９】
また、「主メモリ」は、複製プログラムなどをＣＰＵに実行させるために読み出すと同時にそのプログラムの作業領域でもあるワーク領域を提供する。また、この「主メモリ」にはそれぞれ複数のメモリアドレスが割り当てられており、「ＣＰＵ」で実行されるプログラムは、そのメモリアドレスを特定しアクセスすることで相互にデータのやりとりを行い、処理を行うことが可能になっている。
【００３０】
ここで、例えば図示しない「ユーザーインターフェース」の「ダビングボタン」などが押下されることにより複製命令が取得され、複製記録処理が開始される。まず、映像信号が記録された第一記録媒体が「再生ユニット」にて連続再生され、図３に示すような第一記録媒体の映像記録領域に記録されている映像信号が磁気ヘッドなどで読み出される。また制御信号の記録領域から制御信号が別の磁気ヘッドにて読み出される。そして、制御信号の一つである垂直／水平同期信号を利用して映像信号から動画を構成するコマ画像であるフレームデータを生成し、「Ａ／Ｄコンバータ」によってデジタル変換処理される。そしてそのデジタル変換された映像信号から生成されたフレームデータが「バッファ」に格納される。
【００３１】
つづいて「ＣＰＵ」や専用チップにて、読み出した制御信号がノイズ信号などではない正しい制御信号であるか否かを、信号周波数などを利用した論理演算処理により判断する。その判断の結果、正しい制御信号であると判断されると、「ＣＰＵ」などは制御信号が含まれているとして複製コマンド信号を出力する。そして図示しないバッファやエンコーダの「制御回路」がその複製コマンド信号を受信すると、「バッファ」に格納されているフレームデータがエンコーダにて圧縮符号化され、その圧縮符号化されたフレームデータが「書込回路」から第二記録媒体である「ＤＶＤ」などに複製記録される。
【００３２】
一方、「ＣＰＵ」や専用チップの論理演算処理の結果、制御信号の記録領域から読み出された信号は制御信号以外の信号であると判断された場合、「ＣＰＵ」は複製コマンド信号を出力しない。そして、その替わりに「バッファ」に格納されているデータの破棄コマンド信号を出力し、「バッファ」ではその破棄コマンド信号を受け格納データの破棄処理を行う。
【００３３】
このようにして第一記録媒体を連続再生しながら、第一記録媒体の無記録領域からのノイズ信号などの記録は行わずに、映像信号で構成されたフレームデータだけを「ＤＶＤ」などの第二記録媒体に複製記録することができる。
【００３４】
図６は、本実施例の複製装置を専用の制御回路として映像記録再生装置に組み込んだ場合などにおける、ハードウェア構成の別の一例を表す概略図である。この図にあるように、本実施例の複製装置は、例えばビデオ・ＤＶＤ・ＨＤＤレコーダーなどの媒体複合型記録再生装置のＶＣＲ（ビデオカセット・レコーダー）部に設けられた「コントロールヘッド」と「エンドセンサ」と「ＶＣＲ制御マイコン」、及びＨＤＤ，ＤＶＤ部に設けられた「ＨＤＤ、ＤＶＤ制御マイコン」によって実現することもできる。
【００３５】
ここで、上記同様、例えば図示しない「ユーザーインターフェース」の「ダビングボタン」などが押下されることにより、複製記録処理が開始される。まず、ＶＣＲ部にてビデオカセットが再生され、図３に示すようなテープ上の映像記録領域上の信号と、制御信号の記録領域上の信号とが、（それぞれ別の）「コントロールヘッド」にて読み取られる。そして、読み取られた映像記録領域上の信号がＡ／Ｄ変換されＨＤＤ，ＤＶＤ部に出力されるとともに、制御信号の記録領域上の信号が「ＶＣＲ制御マイコン」に取得される。
【００３６】
そして「ＶＣＲ制御マイコン」では、その信号が制御信号なのか、ノイズなどの制御信号以外の信号なのか、をその信号周波数などから判断し、制御信号であれば複製コマンド信号を「ＨＤＤ，ＤＶＤ制御マイコン」に出力する。また、信号周波数などから制御信号ではないと判断されれば、ＨＤＤ，ＤＶＤ部に出力された映像記録領域上の信号の破棄コマンド信号や、複製記録処理の一時中止コマンド信号などを「ＨＤＤ，ＤＶＤ制御マイコン」に出力する。
【００３７】
そして、例えばビデオカセットの回転リールの回転が止まるなどを「エンドセンサ」が検知するまで上記処理を繰り返す、と言う具合である。
【００３８】
<処理の流れ>
図７は、本実施例の複製装置における処理の流れの一例を表すフローチャートである。なお、以下に示すステップは、媒体に記録され計算機を制御するためのプログラムを構成する処理ステップであっても構わない。この図にあるように、例えばダビングボタンの押下などにより、複製命令が受け付けられる（ステップＳ０７０１）と、映像信号の記録有無に関らず第一記録媒体を連続再生する（ステップＳ０７０２）。そして、連続再生によって出力される信号に制御信号が含まれているか否か、を例えばＣＰＵなどの論理演算処理によって判断する（ステップＳ０７０３）。そしてその判断の結果、制御信号が含まれていれば、出力データを、第二記録媒体を利用して複製記録する（ステップＳ０７０４）。
【００３９】
一方、判断の結果、制御信号が含まれていなければ、例えば出力データの破棄や複製記録の一時中断処理などを行い、複製記録を実行しない（ステップＳ０７０５）。そして、連続再生が終了する（ステップＳ０７０６）まで、制御信号による複製記録の実行／不実行を繰り返す。
【００４０】
図８は、本実施例の複製装置における処理の流れの、別の一例を表すフローチャートである。この図にあるように、例えばダビングボタンの押下などにより、複製処理が開始されるとＶＣＲにてビデオテープなどの第一記録媒体の連続再生が実行される。そして、その連続再生による出力信号中に、ＶＣＲコントロール信号（制御信号）が含まれているか判断する（ステップＳ０８０１）。ここで、ＶＣＲコントロール信号が含まれていると判断されると、第一記録媒体のビデオカセットなどは再生モードを継続し、第二記録媒体のＤＶＤなどは記録モードを継続することでダビング（複製）が継続される（ステップＳ０８０２）。
【００４１】
そして、連続再生中の出力信号からＶＣＲコントロール信号が検出されなくなると、第一記録媒体のビデオカセットは再生モードを継続するが、第二記録媒体のＤＶＤは記録一時停止モードとなることでダビング（複製）が一時停止される（ステップＳ０８０３）。
また前述のように、ここで所定時間以上無記録領域が連続すると記録媒体の最後まで映像信号が記録されていないとして複製記録処理を終了するよう構成しても良い。その場合、ＶＣＲコントロール信号が検出され無い無記録時間（ｔ）が所定の閾値（ａ）を超えたか計測し（ステップＳ０８０４）、ｔ≧ａとなった場合、複製記録処理が終了される。
【００４２】
また、ｔ<ａ中に再度ＶＣＲコントロール信号が検出された場合、ＤＶＤが記録一時停止モードから記録モードへと移行し、ステップＳ０８０２のダビング（再開）継続が実行される。そして、例えば回転リールの停止などテープエンドが検出されると、第一記録媒体（ビデオテープなど）と第二記録媒体（ＤＶＤなど）ともに停止モードへと移行し、複製記録処理が終了する（ステップＳ０８０５）。
【００４３】
<効果の簡単な説明>
以上のように、本実施例の複製装置によって、無記録領域の検出を複製記録のための再生時に実行することができる。したがって複製記録にかかる処理時間が長くなることがない、と言う効果を奏する。また、無記録領域の検出と連動して、複製記録の一時中断や再開を制御するため、検出した無記録領域の位置と、複製記録時の記録一時停止位置とにずれをあまり生じさせることがない、と言う効果も奏する。また、複製先の第二記録媒体の記録資源を有効に利用することもできる。
【００４４】
≪実施例２≫
<概要>
本実施例は、上記実施例を基本として、制御信号が垂直／水平同期信号や色同期信号などのコントロール（同期）信号であることを特徴とする複製装置である。
【００４５】
このようなコントロール信号は、拡張制御信号であるアスペクト制御信号や走査方式制御信号などとは違い、アナログ映像信号には必ず付加されている制御信号である。したがって、アナログ映像信号をソース（複製元）とする複製記録処理においては、このコントロール信号の有無検出により、確実に映像信号の記録／無記録を判断することができる、と言う効果を奏する。
【００４６】
<機能的構成>
図９は、本実施例の複製装置における機能ブロックの一例を表す図である。この図にあるように、本実施例の「複製装置」（０９００）は、実施例１を基本として、「再生部」（０９０１）と、「記録部」（０９０２）と、「判断部」（０９０３）と、「記録制御部」（０９０４）と、を有する。なお、これら「再生部」と、「記録部」と、「判断部」と、「記録制御部」については、上記実施例にて記載済みであるのでその説明は省略する。
【００４７】
そして、本実施例の複製装置の特徴点は、その「判断部」が、さらに「コントロール信号有無判断手段」（０９０５）を備える点である。
【００４８】
「コントロール信号有無判断手段」（０９０５）は、制御信号としてコントロール信号の有無を判断する機能を有する。前述の通り「コントロール信号」とは、例えば、映像信号の走査線を識別するための水平同期信号や、フレームを識別するための垂直同期信号、色差信号処理のタイミング基準となる色同期信号、あるいは、映像信号に含まれる輝度／色差信号と、音声信号と、を同期させるための同期信号などのコントロール（同期）信号が挙げられる。
【００４９】
コントロール信号は、例えば、垂直同期信号が５９．９４Ｈｚ、水平同期信号が１５７３４Ｈｚ、色同期信号が３５７９５４５Ｈｚと言った具合に、その周波数が予め定められている。そこで、このコントロール信号有無判断手段での判断方法の一例は、その周波数を元に、再生部での連続再生による出力データにコントロール信号が含まれているか否かを判断する方法が挙げられる。
【００５０】
<ハードウェア的構成>
なお、本実施例におけるハードウェア構成例やその説明は、実施例１にて説明した構成において、取得、処理される制御信号が垂直／水平同期信号などのコントロール信号である点以外同様である。すなわち、図５に示すようなハードウェア構成を備える複製装置において、「再生ユニット」によって読み出され記録媒体の映像信号の記録領域／無記録領域を判断するための情報がコントロール信号である点を相違点とする。そしてそのコントロール信号の周波数が予め定められた周波数であるかの「ＣＰＵ」による論理演算処理結果に応じて、複製記録の実行／不実行コマンド信号が出力される、と言う具合である。
【００５１】
<処理の流れ>
図１０は、本実施例の複製装置における処理の流れの一例を表すフローチャートである。なお、以下に示すステップは、媒体に記録され計算機を制御するためのプログラムを構成する処理ステップであっても構わない。この図にあるように、例えばダビングボタンの押下などにより、複製命令が受け付けられる（ステップＳ１００１）と、映像信号の記録有無に関らず第一記録媒体を連続再生する（ステップＳ１００２）。そして、連続再生によって出力される信号に、垂直／水平同期信号などのコントロール信号が含まれているか否か、を例えばその周波数情報などから判断する（ステップＳ１００３）。そしてその判断の結果、コントロール信号が含まれていれば、出力データを、第二記録媒体を利用して複製記録する（ステップＳ１００４）。
【００５２】
一方、判断の結果、コントロール信号が含まれていなければ、例えば出力データの破棄や複製記録の一時中断処理などを行い、複製記録を実行しない（ステップＳ１００５）。そして、連続再生が終了する（ステップＳ１００６）まで、コントロール信号による複製記録の実行／不実行を繰り返す。
【００５３】
<効果の簡単な説明>
以上のように本実施例の複製装置によって、アナログ映像信号には必ず付加されているコントロール信号の有無検出により、確実に映像信号の記録／無記録を判断することができる。
【００５４】
≪実施例３≫
<概要>
本実施例は、上記実施例１や実施例２を基本として、複製記録時に無信号領域の再生が行われた場合に、その無記録領域の再生中には自身の複製処理関連の回路や機器などを省エネルギーモードとなるよう制御することを特徴とする複製装置である。
【００５５】
<機能的構成>
図１１は、本実施例の複製装置における機能ブロックの一例を表す図である。この図にあるように、本実施例の「複製装置」（１１００）は、実施例１を基本として、「再生部」（１１０１）と、「記録部」（１１０２）と、「判断部」（１１０３）と、「記録制御部」（１１０４）と、を有する。また図示していないが、実施例２を基本として、その判断部がさらに「コントロール信号有無判断手段」を有していても良い。なお、これら「再生部」と、「記録部」と、「判断部」と、「記録制御部」、また「コントロール信号有無判断手段」については、上記実施例にて記載済みであるのでその説明は省略する。
【００５６】
そして、本実施例の複製装置の特徴点は、さらに「省エネルギーモード制御部」（１１０５）を備える点である。
【００５７】
「省エネルギーモード制御部」（１１０５）は、判断部（１１０３）での判断結果が、制御信号が含まれないとの判断結果である場合に、記録部（１１０２）を省エネルギーモードとするための機能を有する。「省エネルギーモード」とは、装置の電力消費を通常動作時より抑えるよう構成された制御モードをいい、例えば、記録部の使用していない回路などへの電力供給をカットしたり、例えば通常の６０％の電力供給と言う具合に、記録部の所定動作に必要な最低限の電力供給のみ行ったりする制御モードが挙げられる。
【００５８】
また、この省エネルギーモード制御部は、例えば所定時間内での無記録領域が検出回数が所定閾値より少ない場合、すなわち省エネルギーモードへの移行が少ない場合は、記録部への電力供給をカットし、逆に検出回数が多い場合、すなわち記録部の省エネルギーモードへの移行が多く行われた場合には、復帰が直ぐにできるよう必要な最低限の電力供給のみ行うよう制御しても良い。
【００５９】
<ハードウェア的構成>
図１２は、上記機能的な各構成要件をハードウェアとして実現した際の、複製装置における構成の一例を表す概略図である。この図を利用して記録部の省エネルギーモードへの制御処理におけるそれぞれのハードウェア構成部の働きについて説明する。この図にあるように、複製装置は、実施例１を基本として、「ＣＰＵ」（１２０１）と、「主メモリ」（１２０２）と、「再生ユニット」（１２０３）と「Ａ／Ｄコンバータ」（１２０４）と、「バッファ」（１２０５）と「エンコーダ」（１２０６）と「書込回路」（１２０７）を備えている。またそれに加えて、本実施例の複製装置は、「通電制御回路」（１２０８）も備えている。
【００６０】
そして、例えば「ユーザーインターフェース」の「ダビングボタン」などが押下されると、実施例１にて説明したように、第一記録媒体より読み出した制御信号が正しい制御信号か、をその周波数情報などから判断する。そして正しい制御信号ではない、と判断された場合、「ＣＰＵ」は制御信号が含まれていないとして複製コマンド信号を出力せず、その（制御）信号とともに映像信号として読み出された信号は映像信号ではないとして複製記録は実行されない。
【００６１】
また、このように正しい制御信号ではないと判断された場合に、本実施例の複製装置では、複製プログラムに従い「ＣＰＵ」が省エネコマンド信号を「主メモリ」のアドレス２に格納し、「通電制御回路」へと出力する。すると「通電制御回路」では、「エンコーダ」や「書込回路」など当面駆動を必要としない構成に対する電力供給をカットしたり通常時よりも電力供給量を少なくしたりするよう制御する。
【００６２】
そして、再度制御信号が正しいとの判断結果が「ＣＰＵ」より出力された場合、今度は復帰コマンド信号を通電制御回路へと出力し、電力供給を再開することで複製記録が実行されるようにする、と言う具合である。
【００６３】
<処理の流れ>
図１３は、本実施例の複製装置における処理の流れの一例を表すフローチャートである。なお、以下に示すステップは、媒体に記録され計算機を制御するためのプログラムを構成する処理ステップであっても構わない。またこの図１３では、上記実施例にて記載した、複製記録の実行／不実行における処理の流れの一例の説明に関して、記載を簡便化するために省略する。
【００６４】
例えば、ダビングボタンの押下などにより、複製命令が受け付けられて、映像信号の記録有無に関らず第一記録媒体が連続再生される。すると、図にあるように、連続再生によって出力される信号に制御信号が含まれているか否か、を例えばＣＰＵなどの論理演算処理によって判断する（ステップＳ１３０１）。そしてその判断の結果、制御信号が含まれていなければ、記録部の省エネルギーモードへの移行処理が実行される（ステップＳ１３０２）。
【００６５】
また、判断の結果制御信号が含まれており、現在記録部が省エネルギーモードであれば（ステップＳ１３０３）、複製記録モードに移行（復帰）し（ステップＳ１３０４）、連続再生の出力データの第二記録媒体を利用した複製記録が実行される（ステップＳ１３０５）。
【００６６】
一方、判断の結果制御信号が含まれておらず、現在省エネルギーモードでなければ（ステップＳ１３０３）、そのまま連続再生の出力データの第二記録媒体を利用した複製記録が実行される（ステップＳ１３０５）。
【００６７】
<効果の簡単な説明>
以上のように本実施例の複製装置によって、複製記録が一時中断されるなどして駆動していない記録部の全部や一部への電力供給をカットしたり抑えたりすることができる。したがって、効率的に省エネルギーを行うことができる。
【図面の簡単な説明】
【００６８】
【図１】実施例１の複製装置による複製記録の一例を説明するための概念図
【図２】実施例１の複製装置における機能ブロックの一例を表す図
【図３】実施例１の複製装置の再生部にて連続再生される第一記録媒体での、映像信号及び制御信号の記録態様の一例を示す概略図
【図４】実施例１の複製装置の記録制御部での複製記録制御の一例を表す概念図
【図５】実施例１の複製装置におけるハードウェア構成の一例を表す概略図
【図６】実施例１の複製装置におけるハードウェア構成の、別の一例を表す概略図
【図７】実施例１の複製装置における処理の流れの一例を表すフローチャート
【図８】実施例１の複製装置における処理の流れの、別の一例を表すフローチャート
【図９】実施例２の複製装置における機能ブロックの一例を表す図
【図１０】実施例２の複製装置における処理の流れの一例を表すフローチャート
【図１１】実施例３の複製装置における機能ブロックの一例を表す図
【図１２】実施例３の複製装置におけるハードウェア構成の一例を表す概略図
【図１３】実施例３の複製装置における処理の流れの一例を表すフローチャート
【符号の説明】
【００６９】
０２００  複製装置
０２０１  再生部
０２０２  記録部
０２０３  判断部
０２０４  記録制御部
【図１】
2008108295.tif 000003
【図２】
2008108295.tif 000004
【図３】
2008108295.tif 000005
【図４】
2008108295.tif 000006
【図５】
2008108295.tif 000007
【図６】
2008108295.tif 000008
【図７】
2008108295.tif 000009
【図８】
2008108295.tif 000010
【図９】
2008108295.tif 000011
【図１０】
2008108295.tif 000012
【図１１】
2008108295.tif 000013
【図１２】
2008108295.tif 000014
【図１３】
2008108295.tif 000015